(57)【要約】【課題】外壁材を水平姿勢、垂直姿勢として吊り上げ支持できると共に、水平姿勢として吊り上げ支持して上昇する際に外壁材が揺れ動くことがないようにした外壁材吊り上げ装置とする。【解決手段】タワークレーン等の主ワイヤー２で吊り上げ支持されるフレーム部材１に、第１吊り上げ治具１０と第２吊り上げ治具２０と外壁材支持固定部材３０を設け、その第１吊り上げ治具１０で外壁材の一端側を上下方向に回動自在に吊り上げ支持し、前記第２吊り上げ治具２０で外壁材の他端側を吊り上げ支持し、かつその長さを変えることで外壁材が第１吊り上げ治具１０に対して上下方向に回動して水平姿勢、垂直姿勢で吊り上げ支持できるようにし、前記外壁材支持固定部材３０で水平姿勢の外壁材がフレーム部材１に対して動かないように支持固定するようにする。【選択図】図１
2007113219.tif 000002
【特許請求の範囲】
【請求項１】
フレーム部材と、このフレーム部材に設けた第１吊り上げ治具、第２吊り上げ治具、外壁材支持固定部材を備え、
前記フレーム部材は主ワイヤーで吊り上げ支持されて昇降し、
前記第１吊り上げ治具は、外壁材の一端側を上下方向に回動可能に吊り上げ支持し、
前記第２吊り上げ治具は、外壁材の他端側を吊り上げ支持し、その長さを変えることで外壁材が前記第１吊り上げ治具に対して上下方向に回動して外壁材を水平姿勢と垂直姿勢で吊り上げ支持し、
前記外壁材支持固定部材は、フレーム部材に固定された部材で、前記外壁材を水平姿勢で動かないように支持固定及び解除することを特徴とする外壁材吊り上げ装置。
【請求項２】
第２吊り上げ治具は、フレーム部材に吊り上げ支持した索条巻き取り繰り出し機と、索条と、その索条に設けた支持部材を備え、その支持部材で外壁材を支持した状態で索条を巻き取って短くすることで外壁材が水平姿勢となり、その索条を繰り出して長くすることで外壁材が垂直姿勢となるようにした請求項１記載の外壁材吊り上げ装置。
【請求項３】
外壁材支持固定部材は、フレーム部材に固定した本体と、この本体の下部に設けた押え体を備え、
外壁材が水平姿勢の時に、その上面と押え体が接して外壁材が動かないように支持固定するようにした請求項１又は２記載の外壁材吊り上げ装置。
【請求項４】
フレーム部材の他端寄りを主ワイヤーで吊り上げ支持し、
このフレーム部材の一端寄りに第１吊り上げ治具を設けると共に、他端寄りに第２吊り上げ治具を設け、前記フレーム部材の一端寄りで外壁材が垂直姿勢で吊り上げ支持されるようにした請求項１又は２又は３記載の外壁材吊り上げ装置。
【請求項５】
主ワイヤーで吊り上げ支持されたフレーム部材に、第１吊り上げ治具、第２吊り上げ治具、外壁材支持固定部材を設けた吊り上げ装置を用いて外壁材を吊り上げる方法であって、
前記フレーム部材を所定の位置にある外壁材まで下降し、第１吊り上げ治具を外壁材の一端側に上下方向に回動可能に連結し、第２吊り上げ治具で外壁材の他端側を支持すると共に、外壁材支持固定部材で外壁材を水平姿勢で動かないように支持固定し、
前述の状態で主ワイヤーでフレーム部材を上昇することで外壁材を、その一端側が建物躯体寄りで、かつ水平状態として建物躯体に沿って上昇し、所定の高さとなったらフレーム部材を停止し、
この状態で外壁材支持固定部材による外壁材の支持固定を解除するとともに、第２吊り上げ治具を駆動し、その長さを順次長くして外壁材を、前記第１吊り上げ治具の連結部を支点として順次下方に回動し、
この外壁材が垂直姿勢となったら第２吊り上げ治具を停止し、前記外壁材を垂直姿勢として建物躯体の所定の高さ位置とすることを特徴とする外壁材吊り上げ方法。
【請求項６】
第２吊り上げ治具の駆動、停止を建物躯体からリモートコントロールで制御するようにした請求項５記載の外壁材吊り上げ方法。
【発明の詳細な説明】
【技術分野】
【０００１】
本発明は、カーテンウォールユニット、ＰＣ板、石板などの建物外壁を構成する外壁材を、施工現場において吊り上げる外壁材吊り上げ装置、及びこの装置を用いて外壁材を吊り上げる外壁材吊り上げ方法に関する。
【背景技術】
【０００２】
特許文献１に、建物外壁を構成するＰＣ板を施工現場で吊り上げる装置が開示されている。
この吊り上げ装置は、ＰＣ板を水平姿勢で吊り上げ支持できると共に、その水平姿勢で吊り上げ支持しているＰＣ板を垂直姿勢として吊り上げ支持できる。
かかる吊り上げ装置を用いることで、施工現場においてタワークレーンを用いてＰＣ板を地上から水平姿勢として吊り上げ支持して上昇し、そのＰＣ板が取付け位置近くまで上昇したら、そのＰＣ板を垂直姿勢として吊り上げ支持して取付けることができるから、ＰＣ板を地上から取付け位置近くまで安定して上昇できる。つまり、ＰＣ板を水平姿勢で吊り上げ支持することによって、そのＰＣ板が風の影響を受け難くなるので、安定して吊り上げ支持して上昇できる。
【０００３】
【特許文献１】特公平７−１００９７７号公報
【発明の開示】
【発明が解決しようとする課題】
【０００４】
前述した従来の吊り上げ装置は、タワークレーンで吊り上げられるフレームに上用のワイヤロープと下用のワイヤロープを巻き取り、繰り出し自在に設け、その上用のワイヤロープと下用のワイヤロープをＰＣ板の両端部に連結し、その上用のワイヤロープと下用のワイヤロープを適宜巻き取り、繰り出して有効長さを変えることでＰＣ板を水平姿勢、垂直姿勢で吊り上げ支持する構成である。
このように、従来の吊り上げ装置はＰＣ板を２本のワイヤロープで吊り上げ支持するので、ＰＣ板を水平姿勢で吊り上げ支持した状態で上昇する際に揺れ動き易い。特に、カーテンウォールユニットなどの軽量の外壁材を吊り上げ支持して上昇する際には、ＰＣ板などの重い外壁材を吊り上げ支持して上昇する場合に比べて著しく揺れ動き易い。
このように、ＰＣ板を水平姿勢で吊り上げ支持して上昇する際に、そのＰＣ板が揺れ動くと建物躯体などに衝突して損傷する恐れがある。
【０００５】
本発明の目的は、外壁材を水平姿勢で吊り上げ支持できると共に、その外壁材を垂直姿勢として吊り上げ支持でき、しかも、外壁材を水平姿勢として吊り上げ支持して上昇する際に揺れ動くことがないようにした外壁材吊り上げ装置及び外壁材吊り上げ方法を提供することである。
【課題を解決するための手段】
【０００６】
本発明の外壁材吊り上げ装置は、フレーム部材と、このフレーム部材に設けた第１吊り上げ治具、第２吊り上げ治具、外壁材支持固定部材を備え、
前記フレーム部材は主ワイヤーで吊り上げ支持されて昇降し、
前記第１吊り上げ治具は、外壁材の一端側を上下方向に回動可能に吊り上げ支持し、
前記第２吊り上げ治具は、外壁材の他端側を吊り上げ支持し、その長さを変えることで外壁材が前記第１吊り上げ治具に対して上下方向に回動して外壁材を水平姿勢と垂直姿勢で吊り上げ支持し、
前記外壁材支持固定部材は、フレーム部材に固定された部材で、前記外壁材を水平姿勢で動かないように支持固定及び解除することを特徴とする外壁材吊り上げ装置である。
【０００７】
本発明の外壁材吊り上げ装置においては、第２吊り上げ治具は、フレーム部材に吊り上げ支持した索条巻き取り繰り出し機と、索条と、その索条に設けた支持部材を備え、その支持部材で外壁材を支持した状態で索条を巻き取って短くすることで外壁材が水平姿勢となり、その索条を繰り出して長くすることで外壁材が垂直姿勢となるよう構成できる。
【０００８】
このようにすれば、索条巻き取り繰り出し機で索条を巻き取ることで外壁材を水平姿勢として吊り上げ支持できるし、その索条を繰り出すことで外壁材を垂直姿勢に向けて回動して垂直姿勢で吊り上げ支持できる。
したがって、索条巻き取り繰り出し機を建物躯体側から操作することで、水平姿勢として吊り上げ支持して上昇した外壁材を垂直姿勢に向けて回動して垂直姿勢で吊り上げ支持できるから、その外壁材を建物躯体に取付ける作業が容易である。
【０００９】
本発明の外壁材吊り上げ装置においては、外壁材支持固定部材は、フレーム部材に固定した本体と、この本体の下部に設けた押え体を備え、
外壁材が水平姿勢の時に、その上面と押え体が接して外壁材が動かないように支持固定するように構成できる。
【００１０】
このようにすれば、第２吊り上げ治具の索条を巻き取ることで外壁材を上方に向けて回動し、水平姿勢とすることで、その上面が押え体に押しつけられて外壁材を水平姿勢でフレーム部材に対して動かないように支持固定でき、前述の索条を繰り出して外壁材を下方に向けて回動することで、その上面が押え体と離れて外壁材の支持固定が解除される。
したがって、外壁材支持固定部材を何らの操作をせずに、第２吊り上げ治具の索条の巻き取り、繰り出しによって外壁材を支持固定、解除でき、その操作が簡単である。
しかも、外壁材の上面が押え体に押しつけられることで、その外壁材を水平姿勢に位置決めできる。
【００１１】
本発明の外壁材吊り上げ装置においては、フレーム部材の他端寄りを主ワイヤーで吊り上げ支持し、
このフレーム部材の一端寄りに第１吊り上げ治具を設けると共に、他端寄りに第２吊り上げ治具を設け、前記フレーム部材の一端寄りで外壁材が垂直姿勢で吊り上げ支持されるように構成できる。
【００１２】
このようにすれば、フレーム部材の一端寄りに外壁材が垂直姿勢で吊り下げ支持されると共に、他端寄りに主ワイヤーが位置するから、建物躯体に張り出し部等がある場合に、主ワイヤーが張り出し部に干渉せずに垂直姿勢の外壁材を建物躯体に接近させることができる。
【００１３】
本発明の外壁材吊り上げ方法は、主ワイヤーで吊り上げ支持されたフレーム部材に、第１吊り上げ治具、第２吊り上げ治具、外壁材支持固定部材を設けた吊り上げ装置を用いて外壁材を吊り上げる方法であって、
前記フレーム部材を所定の位置にある外壁材まで下降し、第１吊り上げ治具を外壁材の一端側に上下方向に回動可能に連結し、第２吊り上げ治具で外壁材の他端側を支持すると共に、外壁材支持固定部材で外壁材を水平姿勢で動かないように支持固定し、
前述の状態で主ワイヤーでフレーム部材を上昇することで外壁材を、その一端側が建物躯体寄りで、かつ水平状態として建物躯体に沿って上昇し、所定の高さとなったらフレーム部材を停止し、
この状態で外壁材支持固定部材による外壁材の支持固定を解除するとともに、第２吊り上げ治具を駆動し、その長さを順次長くして外壁材を、前記第１吊り上げ治具の連結部を支点として順次下方に回動し、
この外壁材が垂直姿勢となったら第２吊り上げ治具を停止し、前記外壁材を垂直姿勢として建物躯体の所定の高さ位置とすることを特徴とする外壁材吊り上げ方法である。
【００１４】
本発明の外壁材吊り上げ方法においては、第２吊り上げ治具の駆動、停止を建物躯体からリモートコントロールで制御するようにできる。
【００１５】
このようにすれば、建物躯体から操作することで水平姿勢の外壁材を垂直姿勢とすることが可能である。
【発明の効果】
【００１６】
本発明の外壁材吊り上げ装置によれば、フレーム部材に外壁材を第１・第２吊り上げ治具で吊り上げ支持し、その第２吊り上げ治具の長さを変えることで外壁材を第１吊り上げ治具に対して上下方向に回動して水平姿勢、垂直姿勢として吊り上げ支持できる。
よって、外壁材を水平姿勢として吊り上げ支持して取付け高さ位置まで上昇し、その後に垂直姿勢として取付けることができる。
また、外壁材が水平姿勢の時には外壁材支持固定部材で、その外壁材がフレーム部材に対して動かないように支持固定されるから、外壁材を水平姿勢として吊り上げ支持して上昇する際に、外壁材が揺れ動くことがない。
【００１７】
本発明の外壁材吊り上げ方法によれば、外壁材を水平姿勢として所定の高さまで安定して上昇できると共に、所定の高さまで上昇した外壁材を簡単に垂直姿勢にできる。
【発明を実施するための最良の形態】
【００１８】
図１と図２と図３に示すように、フレーム部材１と、このフレーム部材１の一端寄りに設けた第１吊り上げ治具１０と、前記フレーム部材１の他端寄りに設けた第２吊り上げ治具２０と、前記フレーム部材１に固定して設けた外壁材支持固定部材３０で外壁材吊り上げ装置を構成している。
前記フレーム部材１は、タワークレーンなどで昇降される主ワイヤー２で吊り上げ支持される。このフレーム部材１は水平姿勢で吊り上げ支持されることが好ましいが、必ずしも水平姿勢でなくとも良い。
この実施の形態のフレーム部材１は、フレーム３の長手方向両端部にウエイト４をそれぞれ取付けると共に、そのフレーム３の長手方向中間部と長手方向他端部にワイヤ連結部５をそれぞれ設け、その各ワイヤ連結部５に前述の主ワイヤー２をそれぞれ連結してフレーム部材１の長手方向他端寄りを吊り上げ支持することで水平姿勢に支持できる、ウエイトバランサーと呼ばれるものである。
なお、フレーム部材１の長手方向両端部に主ワイヤー２をそれぞれ連結して吊り上げ支持するようにしても良い。
【００１９】
前記第１吊り上げ治具１０は、外壁材、例えばカーテンウォールユニット４０の一端側（つまり、カーテンウォールユニット４０の上下方向の上部）を上下方向に回動可能に吊り上げ支持する。前述のカーテンウォールユニット４０とは、左右の縦材と複数の横材を連結した枠体にパネル、障子等を設けたものである。
例えば、図１と図２に示すように第１吊り上げ治具１０は、吊天秤１１と、この吊天秤１１をフレーム部材１に吊り上げ支持する一対の上ワイヤー１２，１２と、前記吊天秤１１に下ワイヤー１３で上下方向に回動可能に吊り上げ支持した一対の吊治具１４を備えている。
前記吊天秤１１は横材１１ａの長手方向両側部に縦材１１ｂをボルト１１ｃで固着したもので、その一対の縦材１１ｂの上下部に前述の上ワイヤー１２，下ワイヤー１３がそれぞれ連結されている。
前記一対の上ワイヤー１２は、フレーム部材１の一端部に設けたウエイト４に固着したブラケット４ａにそれぞれ連結される。
前記吊治具１４は下ワイヤー１３に上下方向に回動自在に連結され、この吊治具１４にカーテンウォールユニット４０の上部が着脱自在に連結される。これによって、カーテンウォールユニット４０は第１吊り上げ治具１０との連結部を支点として上下方向に回動可能に吊り上げ支持される。
【００２０】
前記吊治具１４の具体形状の一例を説明する。
図１、図２、図４に示すように、吊治具１４は縦部１４ａと横部１４ｂで鉤形状で、その縦部１４ａの上部に下ワイヤー１３が上下方向に回動可能に連結される。
前記横部１４ｂにカーテンウォールユニット４０の上部室内側面４１が設置し、ボルト１５で連結される。
前記吊治具１４の縦部１４ａは一側縦板１６と他側縦板１７で横断面コ字形状で、横部１４ｂは前記一側縦板１６と連続した一側横板１８と、前記他側縦板１７と連続した他側横板１９で縦断面コ字形状であり、前記一側縦板１６の上部寄りにワイヤー連結用の穴１６ａが形成され、前記他側横板１９にボルト挿通孔１９ａが形成してある。
【００２１】
前記カーテンウォールユニット４０の上部室内側面４１が前記他側横板１９上面に接するように載置され、その他側横板１９の下面からボルト１５をボルト挿通孔１９ａを挿通してカーテンウォールユニット４０の上部に螺合する。例えば、カーテンウォールユニット４０を形成する縦枠材の中空部に裏板を挿入し、その裏板にボルト１５を螺合する。
このようであるから、図１に仮想線で示すように吊治具１４とともにカーテンウォールユニット４０を垂直姿勢として建物躯体５０と対向した場合に、前述のボルト１５が建物躯体５０に向かう。
したがって、建物躯体５０から作業者がボルト１５を簡単に弛めて吊治具１４とカーテンウォールユニット４０を分離でき、その分離作業が簡単である。
【００２２】
また、フレーム部材１が前述のウエイトバランサーと呼ばれるもので、そのフレーム部材１の他端寄りを主ワイヤー２で吊り上げ支持すると共に、一端寄りでカーテンウォールユニット４０を垂直姿勢で吊り上げ支持することにより、図１に仮想線で示すように建物躯体５０の室外側に張り出し部５１がある場合でも、主ワイヤー２が張り出し部５１と干渉せずにカーテンウォールユニット４０を建物躯体５０に接近して吊り上げ支持できる。
したがって、張り出し部５１がある場合でもカーテンウォールユニット４０を簡単に取付けできる。
【００２３】
前述の吊治具１４は、前述の実施の形態においては、一側板（１６，１８）と他側板（１７，１９）で断面コ字状の長尺材の一側板の長手方向中央部を９０度のＶ字状に切り欠き、９０度に折り曲げて突き合わせ部を溶接してあるが、その溶接部を補強するためにブラケット１４ｃをボルト１４ｄで固着してある。
【００２４】
前述の吊治具１４とカーテンウォールユニット４０の連結は、カーテンウォールユニット４０のファスナーを利用して連結しても良い。
例えば、図５に示すようにカーテンウォールユニット４０の上部室内側面４１にファスナー４２がボルト４３で固着して取付け、このファスナー４２を建物躯体に固着したファスナー（図示せず）に連結してカーテンウォールユニット４０を建物躯体に取付ける場合には、そのファスナー４２の高さ調整ボルト４４を利用して連結用ブラケット４５をファスナー４２に固着する。
この連結用ブラケット４５を吊治具１４の横部材１４ｂにボルト１５で固着してある。
【００２５】
前述の第１吊り上げ治具１０は前述の構成に限ることはなく、フレーム部材１の一端部に連結した縦板、ロッドなどの縦部材と、この縦部材の下部に上下回動自在に連結した吊治具１４で構成しても良い。
【００２６】
前記第２吊り上げ治具２０は、外壁材、例えばカーテンウォールユニット４０の他端側（つまり、カーテンウォールユニット４０の上下方向の下部）を吊り上げ支持し、その長さを変えることでカーテンウォールユニット４０を、前述の第１吊り上げ治具１０に対して上下方向に回動してカーテンウォールユニット４０を図１に実線で示す水平姿勢と、図１に仮想線で示す垂直姿勢で吊り上げ支持できるようにしてある。
つまり、長くすれば垂直姿勢、短くすれば水平姿勢となる。
例えば、フレーム部材１に吊り上げ支持した索条巻き取り繰り出し機２１と、この索条巻き取り繰り出し機２１で巻き取り・繰り出しされる索条２２と、この索条２２をカーテンウォールユニット４０の他端側に支持する支持部材２３を備えている。
そして、索条２２を巻き取りして短くすることで、カーテンウォールユニット４０が上方に向けて順次回動し、図１に実線で示すように水平姿勢で吊り上げ支持する。
前記索条２２を繰り出して長くすることで、カーテンウォールユニット４０が順次下方に向けて回動し、図１に仮想線で示すように垂直姿勢で吊り上げ支持する。例えば、下ワイヤー１３に対して吊治具１４が下方に順次回動して水平姿勢のカーテンウォールユニット４０が垂直姿勢まで回動する。
【００２７】
前記索条巻き取り繰り出し機２１は、電動式チェーンブロック、手動式チェーンブロックや電動式ウインチ、手動式ウインチなどが用いられるが、機能上電動式チェーンブロックが好ましい。
そして、この索条巻き取り繰り出し機２１は、建物躯体５０側の作業者が操作できるようにする。例えば、電動式の場合には操作釦をフレーム部材１の一端部に吊り下げて建物躯体５０側から操作できるようにしたり、リモートコントロールで操作できるようにし、手動式の場合には操作部材をフレーム部材１の一端部まで延ばして建物躯体５０側から操作できるようにする。
前記索条２２は、チェーンブロックの場合にはチェーンで、ウインチの場合にはワイヤである。
【００２８】
前記支持部材２３は摩擦抵抗が大きくカーテンウォールユニット４０に対して滑りづらい紐状物２３ａ、例えばナイロンスリリングをリング状としてカーテンウォールユニット４０に巻き掛け、索条２２に連結してある。
このようであるから、索条２２を繰り出して長くすることでカーテンウォールユニット４０は自重で下方に向けて順次回動し、図１に仮想線で示すようにカーテンウォールユニット４０を垂直姿勢とした時に、その支持部材２３はカーテンウォールユニット４０から抜け落ち、簡単に支持を解放できる。
また、索条２２を巻き取って短くしたときには図１に実線で示すようにカーテンウォールユニット４０を水平姿勢でしっかりと吊り上げ支持できる。
【００２９】
前述の支持部材２３は紐状物２３ａに限ることはなく、カーテンウォールユニット４０に取付けたフック受けと、索条２２に設けたフックとしても良いし、カーテンウォールユニット４０を把持、把持解放する把持機構としても良い。
【００３０】
前記外壁材支持固定部材３０は、フレーム部材１に動かないように固定して取付けた剛性の大きな部材で、前記カーテンウォールユニット４０を水平姿勢でフレーム部材１に対して動かないように支持固定、及び解除する。
例えば、フレーム部材１に固定した本体３１の下部に押え体３２を設け、その押え体３２をカーテンウォールユニット４０の上面４６（室外側面）に接し、前述の索条２２を巻き取ることでカーテンウォールユニット４０の上面４６を押え体３２に押しつけて動かないように支持固定する。
このようであるから、索条２２の巻き取り力を利用してカーテンウォールユニット４０を水平姿勢でフレーム部材１に対して動かないように支持固定でき、索条２２を繰り出すことでカーテンウォールユニット４０の水平姿勢での支持固定を解除して垂直姿勢にできるので、この外壁支持固定部材３０を特別に操作する必要がない。
しかも、索条２２を巻き取ることでカーテンウォールユニット４０を支持固定すると同時に水平姿勢に位置決めすることができる。
【００３１】
前記本体３１は図３に示すように、左右の縦パイプ３３と複数の横パイプ３４をパイプ継手３５で連結した枠形状で、その最も下の横パイプ３４に押え体３２が設けてある。
前記押え体３２はカーテンウォールユニット４０の上面４ｂに押しつけた時に、その上面４６を損傷しない材質である。例えばウレタンなどの弾性材から成る。
なお、図３においてはフレーム部材１、索条巻き取り繰り出し機２１などの図示を省略してある。
【００３２】
前記外壁材支持固定部材３０は、図１に示すように第２吊り上げ治具２０よりもフレーム部材１の他端寄りに設けてある。
このようにすれば、カーテンウォールユニット４０から第２吊り上げ治具２０の支持部材２３が外れることを防止できる。
【００３３】
前記外壁材支持固定部材３０は、本体３１の下部に把持機構を設け、その把持機構でカーテンウォールユニット４０を把持してフレーム部材１に対して動かないように支持固定するものとしても良い。
【００３４】
次に、施工現場でカーテンウォールユニットを建物躯体に取付ける手順の一例を説明する。
フレーム部材１にタワークレーンの主ワイヤー２を連結し、フレーム部材１をタワークレーンで昇降可能とする。
カーテンウォールユニット４０を水平姿勢で載置して待機する。
フレーム部材１を前述のカーテンウオールユニット４０まで下降する。第１吊り上げ治具１０の吊治具１４をカーテンウォールユニット４０にボルト１５で連結すると共に、第２吊り上げ治具２０の支持部材２３にカーテンウォールユニット４０を挿通する。
索条２２を巻き取ってカーテンウォールユニット４０を水平姿勢とすると共に、その上面４６を押え体３２に押しつけて外壁材支持部材３０でカーテンウォールユニット４０をフレーム部材１に対して動かないように支持固定する。
この状態でタワークレーンの主ワイヤー２を巻き取って所定の取付け高さ位置まで上昇する。
【００３５】
カーテンウォールユニット４０が所定の取付け高さ位置となったらフレーム部材１を停止し、第２吊り上げ治具２０の索条２２を繰り出してカーテンウォールユニット４０を吊治具１４とともに下ワイヤー１３に対して順次下方に回動し、図１に仮想線で示す垂直姿勢とし、カーテンウォールユニット４０の高さを微調整しながら建物躯体５０に取付ける。
なお、カーテンウォールユニット４０が所定の取付け高さ位置よりも若干下方の位置まで上昇したら、前述のように索条２２を繰り出してカーテンウォールユニット４０を下方に回動して垂直姿勢とし、所定の高さ位置となったら前述のようにフレーム部材１を停止し、カーテンウォールユニット４０の高さを微調整して建物躯体５０に取付けるようにしても良い。
前述のようにしてカーテンウォールユニット４０を取付けした後に、建物躯体５０側の作業者がボルト１５を弛めて吊治具１４とカーテンウォールユニット４０を分離し、第２吊り上げ治具２０の支持部材２３がカーテンウォールユニット４０から抜け落ちない場合には抜き落としする。
この状態でタワークレーンでフレーム部材１を下降する。
【００３６】
以上の実施の形態では、カーテンウォールユニット４０について述べたが、ＰＣ板、石板などの外壁材も同様にして吊り上げ支持できる。
【図面の簡単な説明】
【００３７】
【図１】本発明の実施の形態を示す外壁材吊り上げ装置の正面図である。
【図２】第１吊り上げ治具の側面図である。
【図３】第２吊り上げ治具と外壁支持部材の側面図である。
【図４】吊治具の斜視図である。
【図５】吊治具とカーテンウォールユニットの連結の他の実施の形態を示す正面図である。
【符号の説明】
【００３８】
１…フレーム部材、２…主ワイヤー、１０…第１吊り上げ治具、１４…吊治具、２０…第２吊り上げ治具、２１…索条巻き取り繰り出し機、２２…索条、２３…支持部材、３０…外壁材支持固定部材、３１…本体、３２…押え体、４０…カーテンウォールユニット（外壁材）、５０…建物躯体。
【図１】
2007113219.tif 000003
【図２】
2007113219.tif 000004
【図３】
2007113219.tif 000005
【図４】
2007113219.tif 000006
【図５】
2007113219.tif 000007
【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
フレーム部材と、このフレーム部材に設けた第１吊り上げ治具、第２吊り上げ治具、外壁材支持固定部材を備え、
前記フレーム部材は主ワイヤーで吊り上げ支持されて昇降し、
前記第１吊り上げ治具は、外壁材の一端側を上下方向に回動可能に吊り上げ支持し、
前記第２吊り上げ治具は、フレーム部材に吊り上げ支持した索条巻き取り繰り出し機と、索条と、その索条に設けた支持部材を備え、その支持部材で外壁材の他端側を支持した状態で索条を巻き取って短くすることで外壁材が前記第１吊り上げ治具に対して上下方向に回動して外壁材が水平姿勢となり、その索条を繰り出して長くすることで外壁材が前記第１吊り上げ治具に対して上下方向に回動して外壁材が垂直姿勢となるようにし、
前記外壁材支持固定部材は、フレーム部材に固定された部材で、前記外壁材を水平姿勢で動かないように支持固定及び解除することを特徴とする外壁材吊り上げ装置。
【請求項２】
外壁材支持固定部材は、フレーム部材に固定した本体と、この本体の下部に設けた押え体を備え、
外壁材が水平姿勢の時に、その上面と押え体が接して外壁材が動かないように支持固定するようにした請求項１記載の外壁材吊り上げ装置。
【請求項３】
フレーム部材の他端寄りを主ワイヤーで吊り上げ支持し、
このフレーム部材の一端寄りに第１吊り上げ治具を設けると共に、他端寄りに第２吊り上げ治具を設け、前記フレーム部材の一端寄りで外壁材が垂直姿勢で吊り上げ支持されるようにした請求項１又は２記載の外壁材吊り上げ装置。
【請求項４】
主ワイヤーで吊り上げ支持されたフレーム部材に、第１吊り上げ治具、第２吊り上げ治具、外壁材支持固定部材を設けた請求項１に記載の吊り上げ装置を用いて外壁材を吊り上げる方法であって、
前記フレーム部材を所定の位置にある外壁材まで下降し、第１吊り上げ治具を外壁材の一端側に上下方向に回動可能に連結し、第２吊り上げ治具の支持部材で外壁材の他端側を支持し、かつ索条を短くすると共に、外壁材支持固定部材で外壁材を水平姿勢で動かないように支持固定し、
前述の状態で主ワイヤーでフレーム部材を上昇することで外壁材を、その一端側が建物躯体寄りで、かつ水平状態として建物躯体に沿って上昇し、所定の高さとなったらフレーム部材を停止し、
この状態で外壁材支持固定部材による外壁材の支持固定を解除するとともに、第２吊り上げ治具の索条巻き取り繰り出し機で索条を繰り出し、その索条の長さを順次長くして外壁材を、前記第１吊り上げ治具の連結部を支点として順次下方に回動し、
この外壁材が垂直姿勢となったら第２吊り上げ治具の索条巻き取り繰り出し機を停止し、前記外壁材を垂直姿勢として建物躯体の所定の高さ位置とすることを特徴とする外壁材吊り上げ方法。
【請求項５】
第２吊り上げ治具の索条巻き取り繰り出し機の駆動、停止を建物躯体からリモートコントロールで制御するようにした請求項４記載の外壁材吊り上げ方法。
【手続補正２】
【補正対象書類名】明細書
【補正対象項目名】０００６
【補正方法】変更
【補正の内容】
【０００６】
本発明の外壁材吊り上げ装置は、フレーム部材と、このフレーム部材に設けた第１吊り上げ治具、第２吊り上げ治具、外壁材支持固定部材を備え、
前記フレーム部材は主ワイヤーで吊り上げ支持されて昇降し、
前記第１吊り上げ治具は、外壁材の一端側を上下方向に回動可能に吊り上げ支持し、
前記第２吊り上げ治具は、フレーム部材に吊り上げ支持した索条巻き取り繰り出し機と、索条と、その索条に設けた支持部材を備え、その支持部材で外壁材の他端側を支持した状態で索条を巻き取って短くすることで外壁材が前記第１吊り上げ治具に対して上下方向に回動して外壁材が水平姿勢となり、その索条を繰り出して長くすることで外壁材が前記第１吊り上げ治具に対して上下方向に回動して外壁材が垂直姿勢となるようにし、
前記外壁材支持固定部材は、フレーム部材に固定された部材で、前記外壁材を水平姿勢で動かないように支持固定及び解除することを特徴とする外壁材吊り上げ装置である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】００１３
【補正方法】変更
【補正の内容】
【００１３】
本発明の外壁材吊り上げ方法は、主ワイヤーで吊り上げ支持されたフレーム部材に、第１吊り上げ治具、第２吊り上げ治具、外壁材支持固定部材を設けた請求項１に記載の吊り上げ装置を用いて外壁材を吊り上げる方法であって、
前記フレーム部材を所定の位置にある外壁材まで下降し、第１吊り上げ治具を外壁材の一端側に上下方向に回動可能に連結し、第２吊り上げ治具の支持部材で外壁材の他端側を支持し、かつ索条を短くすると共に、外壁材支持固定部材で外壁材を水平姿勢で動かないように支持固定し、
前述の状態で主ワイヤーでフレーム部材を上昇することで外壁材を、その一端側が建物躯体寄りで、かつ水平状態として建物躯体に沿って上昇し、所定の高さとなったらフレーム部材を停止し、
この状態で外壁材支持固定部材による外壁材の支持固定を解除するとともに、第２吊り上げ治具の索条巻き取り繰り出し機で索条を繰り出し、その索条の長さを順次長くして外壁材を、前記第１吊り上げ治具の連結部を支点として順次下方に回動し、
この外壁材が垂直姿勢となったら第２吊り上げ治具の索条巻き取り繰り出し機を停止し、前記外壁材を垂直姿勢として建物躯体の所定の高さ位置とすることを特徴とする外壁材吊り上げ方法である。
【手続補正６】
【補正対象書類名】明細書
【補正対象項目名】００１４
【補正方法】変更
【補正の内容】
【００１４】
本発明の外壁材吊り上げ方法においては、第２吊り上げ治具の索条巻き取り繰り出し機の駆動、停止を建物躯体からリモートコントロールで制御するようにできる。
【手続補正７】
【補正対象書類名】明細書
【補正対象項目名】００１６
【補正方法】変更
【補正の内容】
【００１６】
本発明の外壁材吊り上げ装置によれば、フレーム部材に外壁材を第１・第２吊り上げ治具で吊り上げ支持し、その第２吊り上げ治具の長さを変えることで外壁材を第１吊り上げ治具に対して上下方向に回動して水平姿勢、垂直姿勢として吊り上げ支持できる。
よって、外壁材を水平姿勢として吊り上げ支持して取付け高さ位置まで上昇し、その後に垂直姿勢として取付けることができる。
また、外壁材が水平姿勢の時には外壁材支持固定部材で、その外壁材がフレーム部材に対して動かないように支持固定されるから、外壁材を水平姿勢として吊り上げ支持して上昇する際に、外壁材が揺れ動くことがない。
しかも、索条巻き取り繰り出し機で索条を巻き取ることで外壁材を水平姿勢として吊り上げ支持できるし、その索条を繰り出すことで外壁材を垂直姿勢に向けて回動して垂直姿勢で吊り上げ支持できる。
したがって、索条巻き取り繰り出し機を建物躯体側から操作することで、水平姿勢として吊り上げ支持して上昇した外壁材を垂直姿勢に向けて回動して垂直姿勢で吊り上げ支持できるから、その外壁材を建物躯体に取付ける作業が容易である。